(57)【要約】【課題】  システム品質の信頼性を失わず、バージョンアップの作業効率悪化を防ぐことができる通信システムを提供する。【解決手段】  回線コントローラ１０から無線基地局１１の状況情報を受信し、受信した無線基地局の状況情報に応じた所定の処理コマンドを無線基地局へ送信する端末１４を更に備え、無線基地局は、端末から送信された所定の処理コマンドを受信し、受信した所定の処理コマンドに応じて移動無線端末１８にチャネル切替え指示及び通話の切断を要求する切断要求指示の送信を行い、また受信した所定の処理コマンド又は所定の条件に応じて移動無線端末のリンクチャネルの割り当ての制御を行う。【選択図】  図１
2005086372.tif 000002
【特許請求の範囲】
【請求項１】
移動無線端末と交信する無線基地局と、前記無線基地局を制御する回線コントローラと、前記無線基地局と交信する前記移動無線端末と公衆回線に接続された公衆回線接続端末との通信を実現させる回線接続装置とを備え、前記無線基地局と前記回線コントローラと前記回線接続装置とが同一のＬＡＮに接続される通信システムにおいて、
前記回線コントローラから前記無線基地局の状況情報を受信し、前記受信した前記無線基地局の前記状況情報に応じた所定の処理コマンドを前記無線基地局へ送信する端末を更に備え、
前記無線基地局は、前記端末から送信された前記所定の処理コマンドを受信し、前記受信した前記所定の処理コマンドに応じて前記移動無線端末にチャネル切替え指示及び通話の切断を要求する切断要求指示の送信を行い、また前記受信した前記所定の処理コマンド又は所定の条件に応じて前記移動無線端末のリンクチャネルの割り当ての制御を行うことを特徴とする通信システム。
【発明の詳細な説明】
【技術分野】
【０００１】
本発明は、通信システムに関し、特にＬＡＮに接続された無線基地局のファームウェアのバージョンアップを行う通信システムに関する。
【背景技術】
【０００２】
従来から、ＰＨＳ（Personal Handy phone System）などの移動無線端末が、ＬＡＮに接続された無線基地局やＰＢＸ（Private Branch eXchange）を介して、同じＬＡＮに接続された公衆回線網に接続された端末と通信を行う通信システムがある。このような通信システムについて図４を用いて説明する。図４に示すように、ＬＡＮ４４には、回線コントローラ４０、無線基地局であるＣＳ（Cell Station）４１、ＰＳＴＮ（Private Switch Telephone Network）アダプタ（以下、回線接続装置と言う）４２が接続されている。公衆回線４３は回線接続装置４２を介してＬＡＮ４４に接続されている。また、ＰＨＳ４５はＣＳ４１を介して通信を行っている。ここで、回線コントローラ４０は、ＣＳ４１や回線接続装置４２を制御するソフトウェアを動かすＰＣ（Personal Computer）などである。このような通信システムが下記の特許文献１に開示されている。
【特許文献１】特開平１０−３０８９６６号公報（図１）
【０００３】
このような通信システムにおけるＣＳ４１には通常、ＣＳ４１の制御プログラムであるファームウェアが搭載されているが、機能追加やプログラムのエラー解消のためにファームウェアのバージョンアップ（以下、単にバージョンアップとも言う）を行う場合がある。バージョンアップは、ＲＯＭの交換によるものだけでなく、電気的に消去と再書き込みが可能な不揮発メモリに記録させたファームウェアに対して、ＬＡＮ４４を介して遠隔操作により行うことも可能である。ここで、バージョンアップにはＣＳ４１の初期化を伴うため、バージョンアップをしようとするときは、ＰＨＳ４５の通話によりＰＨＳ４５とＣＳ４１との間に無線リンクが張られている場合には無線リンクを解除して通話を強制的に切断するか、もしくは通話の終了を待ってから行わなければならなかった。
【発明の開示】
【発明が解決しようとする課題】
【０００４】
しかしながら、通話を強制的に切断することはシステム品質の信頼性を失ってしまうという問題があった。また、予測の立たない通話の終了を待ってからバージョンアップを行うことは作業効率悪化につながり、大規模なシステムでＣＳの台数が多い場合には膨大な時間がかかるという問題もあった。
【０００５】
本発明は、上記問題を解決するためのものであり、システム品質の信頼性を失わず、バージョンアップの作業効率悪化を防ぐことができる通信システムを提供することを目的とする。
【課題を解決するための手段】
【０００６】
上記目的を達成するために、本発明は、回線コントローラから無線基地局の状況情報を受信し、受信した無線基地局の状況情報に応じた所定の処理コマンドを無線基地局へ送信する端末を更に備え、無線基地局は、端末から送信された所定の処理コマンドを受信し、受信した所定の処理コマンドに応じて移動無線端末にチャネル切替え指示及び通話の切断を要求する切断要求指示の送信を行い、また受信した所定の処理コマンド又は所定の条件に応じて移動無線端末のリンクチャネルの割り当ての制御を行う。すなわち、移動無線端末と交信する無線基地局と、前記無線基地局を制御する回線コントローラと、前記無線基地局と交信する前記移動無線端末と公衆回線に接続された公衆回線接続端末との通信を実現させる回線接続装置とを備え、前記無線基地局と前記回線コントローラと前記回線接続装置とが同一のＬＡＮに接続される通信システムにおいて、前記回線コントローラから前記無線基地局の状況情報を受信し、前記受信した前記無線基地局の前記状況情報に応じた所定の処理コマンドを前記無線基地局へ送信する端末を更に備え、前記無線基地局は、前記端末から送信された前記所定の処理コマンドを受信し、前記受信した前記所定の処理コマンドに応じて前記移動無線端末にチャネル切替え指示及び通話の切断を要求する切断要求指示の送信を行い、また前記受信した前記所定の処理コマンド又は所定の条件に応じて前記移動無線端末のリンクチャネルの割り当ての制御を行うことを特徴とする通信システムが提供される。
【発明の効果】
【０００７】
本発明の通信システムは、上記構成を有し、システム品質の信頼性を失わず、バージョンアップの作業効率悪化を防ぐことができる。
【発明を実施するための最良の形態】
【０００８】
以下、本発明の実施の形態について図１から図３を用いて説明する。図１は本発明の実施の形態に係る通信システムの構成を示す図である。図２は本発明の実施の形態に係る通信システムにおけるファームウェアのバージョンアップの動作フローを示す図である。図３は本発明の実施の形態におけるハンドオーバーの動作を説明するための図である。
【０００９】
まず、本発明の実施の形態に係る通信システムの構成について図１を用いて説明する。図１に示すように、通信システムは、ＣＳ１１、１２、１３と、ＰＳＴＮアダプタ（以下、回線接続装置と言う）１５と、回線接続装置１５を介してＬＡＮ１７に接続された公衆回線１６と、ＣＳ１１、１２、１３や回線接続装置１５を制御する回線コントローラ１０と、ＣＳ１１、１２、１３のファームウェアのバージョンアップを行うメンテナンス端末１４と、移動無線端末であるＰＨＳ１８とから構成されている。なお、ＣＳ１１、１２、１３は３つに限られるものではない。また、移動無線端末はＰＨＳ１８に限らず、例えば携帯電話や自動車電話などであってもよい。
【００１０】
次に、ＣＳのファームウェアのバージョンアップの動作フローについて図２を用いて説明する。なお、ファームウェアのバージョンアップの対象をＣＳ１１とし、後述するハンドオーバー先の対象をＣＳ１２とする。図２に示すように、メンテナンス端末１４は、ファームウェアのバージョンアップを行うＣＳ１１の無線チャネルが使用中であるか否かを回線コントローラ１０から取得する情報に基づいて判断する（ステップＳ２０１）。メンテナンス端末１４がＣＳ１１の無線チャネルは使用中でないと判断した場合には、データをダウンロードしてＣＳ１１を初期化してバージョンアップがなされる（ステップＳ２０２）。一方、メンテナンス端末１４がＣＳ１１の無線チャネルは使用中であると判断した場合、メンテナンス端末１４はＣＳ１１へハンドオーバーを促すためのハンドオーバー開始コマンドを送信する（ステップＳ２０３）。ここで、ハンドオーバーとは、別の新たなＣＳへ通信路を設定することをいう。ハンドオーバー開始コマンドを受信したＣＳ１１は、自身と無線リンクが張られているＰＨＳ１８をハンドオーバーさせる。ハンドオーバーの動作については後述する。
【００１１】
メンテナンス端末１４は、ハンドオーバー開始コマンド送信後あらかじめメンテナンス端末１４に設定された時間、例えば送信後３０秒間が経過した後、ＣＳ１１の無線チャネルが使用中であるか否かの情報を回線コントローラ１０から取得し、ハンドオーバーが失敗か否かを判断する（ステップＳ２０４）。メンテナンス端末１４がハンドオーバーは成功であると判断した場合には、データをダウンロードしてＣＳ１１を初期化してバージョンアップがなされる（ステップＳ２０２）。一方、メンテナンス端末１４がハンドオーバーは失敗であると判断した場合には、メンテナンス端末１４はＣＳ１１と無線リンクを張っているＰＨＳ１８へトーン通知を送信するか否かをあらかじめ設定されたトーン通知利用者情報に基づいて判断する（ステップＳ２０５）。ここで、トーン通知は、切断要求指示の１つの態様であり、ＰＨＳ１８の利用者に対してトーンの送信によって通話の切断を促すものである。トーン通知利用者情報はトーン通知を利用する者を特定するための情報である。通常、ＰＨＳ１８の利用者が通信システムの構内のどこにいてもＰＨＳ１８を利用可能とするため、ＣＳ１１、１２、１３は電波の到達範囲に余裕を持たせて配置されている。しかし、それでも別の不図示のＣＳの電波到達範囲やチャネルの使用状況などによってハンドオーバーが成立せず、ＰＨＳ１８の無線リンクが残ってしまう場合もある。この場合に、あらかじめＰＨＳ１８の利用者の合意を受けた上でＰＨＳ１８へトーン通知を送信することによって通話の切断を促すことができる。このトーン通知を利用しない設定の場合には、再度ステップＳ２０１以降を実行する。トーン通知を利用する設定の場合にはステップＳ２０６以降を実行する。以下にステップＳ２０６以降の各ステップについて説明する。
【００１２】
メンテナンス端末１４がＣＳ１１と無線リンクを張っているＰＨＳ１８へトーン通知を送信すると判断した場合、メンテナンス端末１４はＣＳ１１へトーン通知開始コマンドを送信する（ステップＳ２０６）。トーン通知開始コマンドを受信したＣＳ１１は、あらかじめＣＳ１１のメモリに記憶されたトーンを自身と無線リンクが張られているＰＨＳ１８へ送信する。メンテナンス端末１４は、トーン通知開始コマンド送信後あらかじめメンテナンス端末１４に設定された時間、例えば送信後６０秒間が経過した後、ＣＳ１１の無線チャネルが使用中であるか否かの情報を回線コントローラ１０から取得し、すべての通話が切断されているか否かを判断する（ステップＳ２０７）。メンテナンス端末１４がすべての通話が切断されていると判断した場合には、データをダウンロードしてＣＳ１１を初期化してバージョンアップがなされる（ステップＳ２０２）。一方、メンテナンス端末１４がすべての通話が切断されていないと判断した場合には、メンテナンス端末１４は再度ステップＳ２０６以降を実行する。なお、上述した例は通話に関するものであるが、トーン通知以前の処理はデータ通信にも適用することが可能である。すなわち、ステップＳ２０１からステップＳ２０４までの処理が該当する。データ通信の場合、ステップＳ２０４において、ハンドオーバーに失敗した場合には再度ステップＳ２０１以降を実行する。また、ステップＳ２０５及びステップＳ２０７の判断において、判断によっては再度ステップＳ２０１及びステップＳ２０６以降を実行するようにしているが、再度ステップＳ２０１及びステップＳ２０６以降を実行する代わりに、メンテナンス端末１４がＣＳ１１へ後述するリンク拒否解除コマンドを送信し、リンク拒否解除コマンドを受信したＣＳ１１がリンクチャネルの割り当てをした後、再度バージョンアップの動作フローをスタートするようにしてもよい。
【００１３】
次に、ハンドオーバーの動作について図３を用いて説明する。図３に示すように、ハンドオーバー元のＣＳ１１とＰＨＳ１８との間には無線リンクが張られており、ＰＨＳ１８は通話中であるとする。ハンドオーバー元のＣＳ１１は、メンテナンス端末１４からハンドオーバー開始コマンドを受信し（ステップＳ３０１）、ＰＨＳ１８へチャネル切替え指示を送信する（ステップＳ３０２）。ここで、ハンドオーバー開始コマンドを受信したＣＳ１１は、データをダウンロードして初期化されるまで、あるいはメンテナンス端末１４からＰＨＳ１８又はＰＨＳ１８以外のＰＨＳとの無線リンクを張ってもよいというリンク拒否解除コマンドを受信するまでリンクチャネルを割り当てないように設定されている。チャネル切替え指示は、通常、ＰＨＳ１８が無線リンクを張っているＣＳ１１の電波が到達する範囲を超えて移動した場合になされるものであり、ＰＨＳ１８又はＣＳ１１が電波レベルの劣化を検出することによってＣＳ１１からＰＨＳ１８へ送信されるものである。本発明の実施の形態では、メンテナンス端末１４が特定のコマンドをハンドオーバー元のＣＳ１１へ送信し、特定のコマンドであるハンドオーバー開始コマンドを受信したハンドオーバー元のＣＳ１１はチャネル切替え指示をＰＨＳ１８へ送信する。
【００１４】
ＰＨＳ１８はハンドオーバー元のＣＳ１１から受信したチャネル切替え指示に基づいて、ハンドオーバー先のＣＳ１２へリンクチャネル確立要求を送信する（ステップＳ３０３）。ハンドオーバー先のＣＳ１２は、リンクチャネル確立要求に応じてＰＨＳ１８にリンクチャネルの割り当てを行う（ステップＳ３０４）。ＰＨＳ１８は受信したハンドオーバー先のＣＳ１２からのリンクチャネルの割り当てに対して、呼設定要求を行い（ステップＳ３０５）、応答通知を受信する（ステップＳ３０６）。これによりＰＨＳ１８とハンドオーバー先のＣＳ１２との間の通話が確立される。
【産業上の利用可能性】
【００１５】
本発明に係る通信システムは、システム品質の信頼性を失わず、バージョンアップの作業効率悪化を防ぐことができるため、ＬＡＮに接続された無線基地局のファームウェアのバージョンアップを行う通信システムなどに有用である。
【図面の簡単な説明】
【００１６】
【図１】本発明の実施の形態に係る通信システムの構成を示す図である。
【図２】本発明の実施の形態に係る通信システムにおけるファームウェアのバージョンアップの動作フローを示す図である。
【図３】本発明の実施の形態におけるハンドオーバーの動作を説明するための図である。
【図４】従来の通信システムの構成を示す図である。
【符号の説明】
【００１７】
１０、４０  回線コントローラ
１１、１２、１３、４１  ＣＳ（無線基地局）
１４  メンテナンス端末（端末）
１５、４２  ＰＳＴＮアダプタ（回線接続装置）
１６、４３  公衆回線
１７、４４  ＬＡＮ
１８、４５  ＰＨＳ（移動無線端末）
【図１】
2005086372.tif 000003
【図２】
2005086372.tif 000004
【図３】
2005086372.tif 000005
【図４】
2005086372.tif 000006